(57)【特許請求の範囲】
【請求項１】
伝送レートが１０Ｇｂａｕｄ以上の高速差動信号の伝送に用いる差動信号用ケーブルの特性判定装置であって、
前記差動信号用ケーブルの両端に接続する一組のコネクタと、
前記差動信号用ケーブルへ供給する試験信号の伝送レート又は出力を切り替える切替スイッチと、
前記切替スイッチの切り替え状態に応じて、伝送レート又は出力が異なる、予め決められた数の複数の試験信号の内の一つを発生し、発生した試験信号を、前記一組のコネクタの一方から前記差動信号用ケーブルへ送信する信号送信回路と、
前記差動信号用ケーブルにより伝送された試験信号を、前記一組のコネクタの他方から受信し、受信した試験信号と、予め用意した前記複数の試験信号のデータとから、前記差動信号用ケーブルによる試験信号の通信の成功・不成功を判定する信号受信回路と、
前記一組のコネクタの一方、前記切替スイッチ、及び前記信号送信回路を収容する送信側筐体と、
前記一組のコネクタの他方、及び前記信号受信回路を収容する受信側筐体と、
前記送信側筐体と前記受信側筐体とをつなぐ通信線と、
前記信号受信回路の判定結果を表示する表示装置と、
前記信号送信回路、前記信号受信回路、及び前記表示装置へ電力を供給する電源装置と、を備え、
前記信号送信回路は、送信する試験信号の送信条件のパラメータを示す信号を、前記通信線を介して、前記信号受信回路へ送信し、
前記信号受信回路は、前記通信線を介して受信した信号から、予め用意した前記複数の試験信号のデータの内の一つを選択して、受信した試験信号と一致しているか否かを判断する、
差動信号用ケーブルの特性判定装置。
【請求項２】
前記一組のコネクタは、取り外して交換が可能である、
請求項１に記載の差動信号用ケーブルの特性判定装置。
【請求項３】
伝送レートが１０Ｇｂａｕｄ以上の高速差動信号の伝送に用いる差動信号用ケーブルの特性判定装置であって、
前記差動信号用ケーブルの両端に接続する、形状の異なる複数組のコネクタと、
前記差動信号用ケーブルへ供給する試験信号の伝送レート又は出力を切り替える切替スイッチと、
前記切替スイッチの切り替え状態に応じて、伝送レート又は出力が異なる、予め決められた数の複数の試験信号の内の一つを発生し、発生した試験信号を、前記複数組のコネクタの一方から前記差動信号用ケーブルへ送信する、各組のコネクタに対応した複数の信号送信回路と、
前記差動信号用ケーブルにより伝送された試験信号を、前記複数組のコネクタの他方から受信し、受信した試験信号と、予め用意した前記複数の試験信号のデータとから、前記差動信号用ケーブルによる試験信号の通信の成功・不成功を判定する、各組のコネクタに対応した複数の信号受信回路と、
前記複数の信号送信回路、及び前記複数の信号受信回路を切り替える切替装置と、
前記信号受信回路の判定結果を表示する表示装置と、
前記信号送信回路、前記信号受信回路、及び前記表示装置へ電力を供給する電源装置と、を備えた、
差動信号用ケーブルの特性判定装置。
【請求項４】
前記電源装置は、前記送信側筐体又は前記受信側筐体のいずれかに収容され、
前記電源装置を収容した前記送信側筐体から前記受信側筐体へ、または、前記電源装置を収容した前記受信側筐体から前記送信側筐体へ、前記電源装置からの電力を供給する電力線を備えた、
請求項１又は２に記載の差動信号用ケーブルの特性判定装置。
【請求項５】
前記複数組のコネクタは、取り外して交換が可能である、
請求項３に記載の差動信号用ケーブルの特性判定装置。
【請求項６】
請求項１乃至５のいずれか１項に記載の差動信号用ケーブルの特性判定装置を用い、異なる伝送レート又は出力の複数の試験信号について、前記差動信号用ケーブルによる試験信号の通信の成功・不成功を判定する、差動信号用ケーブルの特性判定方法。
【発明の詳細な説明】
【技術分野】
【０００１】
本発明は、差動信号用ケーブルの特性判定装置及び特性判定方法に係り、特に、伝送レートが１０Ｇｂａｕｄ以上の高速差動信号の伝送に用いる差動信号用ケーブルの特性判定装置及び特性判定方法関する。
【背景技術】
【０００２】
データセンタのサーバーとスイッチとの間の通信、または高性能コンピュータシステム（ＨＰＣ）の機器間通信や機器内通信では、１０Ｇｂａｕｄ以上の高速差動信号の伝送が行われている。１０Ｇｂａｕｄ以上の高速差動信号の伝送に使用される差動信号用ケーブルは、従来から数Ｇｂａｕｄレベルの差動信号の伝送に使用されてきた差動信号用ケーブルに比べて、わずかな伝送特性の変化によって、信号伝送が困難になってしまうという問題がある。伝送特性の変化の原因としては、コネクタ部に微小なゴミが付着することや、ハンドリングミス等によってケーブルを過度に小さな曲率半径で曲げてしまうこと等がある。
【０００３】
１０Ｇｂａｕｄ以上の高速差動信号の伝送では、差動信号用ケーブルの伝送特性の変化以外に、送受信回路の故障や、送受信回路の設定の不備、送受信回路とケーブルとを接続するプリント基板の設計及び製造状況（伝送損失、信号レート長、ビア・スタブ特性等）、あるいはコネクタ挿抜の不備等によっても、通信障害が発生する恐れがある。さらに、通信障害は、装置の冷却状態や電源供給の不安定化等、間接的な原因によっても発生する恐れがある。
【０００４】
また、１０Ｇｂａｕｄ以上の高速差動信号の伝送では、送信側回路又は受信側回路で、信号波形を整形するための信号等価（イコライゼーション）を行うのが一般的であるが、イコライザパラメータの最適設定値は、伝送部品の周波数特性によって違ってくる。イコライザパラメータの最適設定値は、送受信回路の自動設定アルゴリズムによって決定されることが多いが、自動設定アルゴリズムは必ずしも差動信号用ケーブルのために最適化されているとは限らないので、自動設定が失敗することもあり得る。
【０００５】
以上のような理由から、差動信号用ケーブルを用いた１０Ｇｂａｕｄ以上の高速差動信号の伝送では、通信障害の原因の特定が難しく、特に、差動信号用ケーブルの故障の検出が難しかった。そのため、差動信号用ケーブルの検査装置及び検査方法が検討されており、従来、例えば、疑似ランダム信号の送受信を行って、ビット誤り率を測定する方法等があった（特許文献１参照）。
【先行技術文献】
【特許文献】
【０００６】
【特許文献１】特開２０１３−４６２８３号公報
【発明の概要】
【発明が解決しようとする課題】
【０００７】
特許文献１に記載の技術は、評価精度が良く、高速差動信号の伝送に用いる差動信号用ケーブルの特性を、単体で正確に検査できるという利点がある。しかしながら、送受信装置の寸法が大きく、装置全体の価格が高価であった。そのため、接続機器が高密度に配置されたデータセンタや、高性能コンピュータシステム内に、従来の大型かつ高価な検査装置を設置することは、物理的及び経済的に難しかった。
【０００８】
本発明は、１０Ｇｂａｕｄ以上の高速差動信号の伝送に用いる差動信号用ケーブルの伝送特性を、安価で可搬性のある特性判定装置を用いて、使用状態と同じ環境で、簡易に評価することを目的とする。
【課題を解決するための手段】
【０００９】
本発明は、上記課題を解決することを目的として、伝送レートが１０Ｇｂａｕｄ以上の高速差動信号の伝送に用いる差動信号用ケーブルの特性判定装置であって、差動信号用ケーブルの両端に接続する一組のコネクタと、差動信号用ケーブルへ供給する試験信号の伝送レート又は出力を切り替える切替スイッチと、切替スッチの切り替え状態に応じて、伝送レート又は出力が異なる、予め決められた数の複数の試験信号の内の一つを発生し、発生した試験信号を、一組のコネクタの一方から差動信号用ケーブルへ送信する信号送信回路と、差動信号用ケーブルにより伝送された試験信号を、一組のコネクタの他方から受信し、受信した試験信号と、予め用意した複数の試験信号のデータとから、差動信号用ケーブルによる試験信号の通信の成功・不成功を判定する信号受信回路と、信号受信回路の判定結果を表示する表示装置と、信号送信回路、信号受信回路、及び表示装置へ電力を供給する電源装置と、を備えた、差動信号用ケーブルの特性判定装置を提供する。
【００１０】
また、本発明は、上記課題を解決することを目的として、上記の差動信号用ケーブルの特性判定装置を用い、異なる伝送レート又は出力の複数の試験信号について、差動信号用ケーブルによる試験信号の通信の成功・不成功を判定する、差動信号用ケーブルの特性判定方法を提供する。
【発明の効果】
【００１１】
本発明によれば、１０Ｇｂａｕｄ以上の高速差動信号の伝送に用いる差動信号用ケーブルの伝送特性を、安価で可搬性のある特性判定装置を用いて、使用状態と同じ環境で、簡易に評価することができる。
【図面の簡単な説明】
【００１２】
【図１】本発明の第１の実施の形態に係る、差動信号用ケーブルの特性判定装置の構成を示す図である。
【図２】図２（ａ）は送信側表示装置の表示例を示す図、図２（ｂ）は受信側表示装置の表示例を示す図である。
【図３】本発明の第２の実施の形態に係る、差動信号用ケーブルの特性判定装置の構成を示す図である。
【図４】本発明の第３の実施の形態に係る、差動信号用ケーブルの特性判定装置の構成を示す図である。
【図５】本発明の第４の実施の形態に係る、差動信号用ケーブルの特性判定装置の構成を示す図である。
【図６】信号受信回路の構成例を示す図である。
【発明を実施するための形態】
【００１３】
［第１の実施の形態］
図１は、本発明の第１の実施の形態に係る、差動信号用ケーブルの特性判定装置の構成を示す図である。差動信号用ケーブルを用いた１０Ｇｂａｕｄ以上の高速差動信号の伝送で通信障害が発生したとき、その原因が差動信号用ケーブルの故障にあるか否かを判断するため、本発明の特性判定装置を使用する。
【００１４】
本実施の形態の特性判定装置１００は、送信側筐体１０と、受信側筐体２０と、送信側筐体１０と受信側筐体２０とをつなぐ電力線１７及び通信線１８とを含んで構成されている。送信側筐体１０内には、電源装置１１、信号送信回路１２、コネクタ１３、切替スイッチ１４，１５、及び表示装置１６が収容されている。受信側筐体２０には、信号受信回路２２、コネクタ２３、及び表示装置２６が収容されている。信号送信回路１２、及び信号受信回路２２は、ＩＣ素子で構成されている。
【００１５】
特性判定装置１００の使用者は、差動信号用ケーブル１を用いた１０Ｇｂａｕｄ以上の高速差動信号の伝送で通信障害が発生したとき、差動信号用ケーブル１をその両側の接続機器から取り外し、差動信号用ケーブル１の一端を送信側筐体１０のコネクタ１３に接続し、他端を受信側筐体２０のコネクタ２３に接続する。コネクタ１３，２３は、送信側筐体１０及び受信側筐体２０から取り外して交換が可能な構成となっている。
【００１６】
送信側筐体１０内において、電源装置１１からの電力は、信号送信回路１２及び表示装置１６へ供給される。また、電源装置１１からの電力は、電力線１７を介して、送信側筐体１０から受信側筐体２０へ供給され、受信側筐体２０内において、信号受信回路２２及び表示装置２６へ供給される。
【００１７】
送信側筐体１０内の切替スイッチ１４，１５は、特性判定装置１００の使用者が人手で操作するスイッチであり、一方が試験信号の伝送レートの切り替え用、他方が試験信号の出力の切り替え用である。
【００１８】
信号送信回路１２は、切替スッチ１４，１５の切り替え状態に応じて、伝送レート又は出力が異なる、予め決められた数の複数の試験信号の内の一つを発生し、発生した試験信号を、コネクタ３４から差動信号用ケーブル１へ送信する。試験信号は、ＰＲＢＳ信号（疑似ランダム符号列）であってもよい。また、信号送信回路１２は、送信する試験信号の送信条件（伝送レート、出力等）のパラメータを示す信号と、信号受信回路の設定パラメータを、通信線１８を介して、受信側筐体２０内の信号受信回路２２へ送信する。
【００１９】
受信側筐体２０内の信号受信回路２２は、差動信号用ケーブル１により伝送された試験信号を、コネクタ２３から受信し、受信した試験信号と、予め用意した複数の試験信号のデータとから、差動信号用ケーブル１による試験信号の通信の成功・不成功を判定する。信号受信回路２２の判定動作は、例えば、以下のようにして行われる。
【００２０】
図６は、信号受信回路２２の構成例を示す図である。信号受信回路２２は、信号送信回路１２から信号受信回路２２に至る試験経路でのアナログ波形の劣化を補償するためのイコライザ回路２２１と、補償されたアナログ波形をデジタルデータ列に変換するためのクロック・データ・リカバリー（ＣＤＲ）回路２２２と、受信デジタルデータを送信デジタルデータと比較して判定結果を出力するための判定回路２２３とを備えている。
【００２１】
信号受信回路２２は、内蔵メモリまたは通信線１８から設定パラメータを読み込み、設定パラメータにしたがって、イコライザ回路２２１でアナログ波形を補償し、ＣＤＲ回路２２２によってアナログ波形をデジタルデータに変換する。判定回路２２３は、差動信号用ケーブル１を介して伝送された受信デジタルデータを、送信されたデジタルデータと比較して、統計的なデータ誤りの発生率から、差動信号用ケーブル１による試験信号の通信の成功・不成功を判定する。この際、試験信号は、一定の数学的規則にのっとって決められているので、信号受信回路２２は、内蔵メモリまたは通信線１８から読み込んだ少数の設定パラメータだけにもとづいて、送信されたデジタルデータ列を正確に復元できる。
【００２２】
本発明の信号受信回路２２では、イコライザ回路２２１の設定パラメータを、信号伝送が失敗しやすい条件に設定することによって、一般的な装置よりもビット数の少ない試験信号を使って、簡便に通信の成功・不成功を判定することができる。したがって、本発明の信号受信回路２２は、例えば一般的なビットエラーレートの測定を行わなくても、差動信号用ケーブル１を使って信号伝送ができるかどうかを簡易的に判定することができる。
【００２３】
送信側筐体１０内の表示装置１６は、切替スイッチ１４，１５により切り替えられた、試験信号の伝送レート及び出力を表示する。図２（ａ）は表示装置１６の表示例を示す図である。本例では、切替スッチ１４，１５の一方により、試験信号の伝送レートが、ＤＣ（直流）、１０Ｇｂａｕｄ、及び２５Ｇｂａｕｄの三段階に切り替えられる。表示装置１６は、試験信号の伝送レートが三段階のいずれであるかを、例えば該当する箇所を点灯させて表示する。
【００２４】
また、本例では、切替スッチ１４，１５の他方により、試験信号の出力が、１ｍＷ、３ｍＷ、１０ｍＷ，３０ｍＷ，及び１００ｍＷの五段階に切り替えられる。表示装置１６は、試験信号の出力が五段階のいずれであるかを、例えば該当する箇所を点灯させて表示する。
【００２５】
受信側筐体２０内の表示装置２６は、信号受信回路２２の判定結果を表示する。図２（ｂ）は表示装置２６の表示例を示す図である。まず、表示装置２６は、表示装置１６と同様に、試験信号の出力が五段階のいずれであるかを、例えば該当する箇所を点灯させて表示する。そして、表示装置２６は、ＤＣ、１０Ｇｂａｕｄ、又は２５Ｇｂａｕｄのいずれかの伝送レートについて、差動信号用ケーブル１の信号線毎に、信号受信回路２２により判定された通信の成功・不成功を、例えば○（通信成功）又は×（通信不成功）等の成功・不成功を示す記号や文字、あるいは成功・不成功を示す色分け等により表示する。
【００２６】
なお、送信側筐体１０内の表示装置１６に、信号受信回路２２の判定結果を表示してもよい。その場合、信号受信回路２２の判定結果を示す信号が、通信線１８を介して、受信側筐体２０から送信側筐体１０へ送信される。
【００２７】
本実施の形態の特性判定装置１００を用いて、通信障害の原因が差動信号用ケーブル１の故障にあるか否かを判断する場合、単一の伝送レート及び出力の試験信号についての通信の成功・不成功だけでは、判断の信頼性が十分ではない。そこで、異なる伝送レート又は出力の試験信号についても、通信の成功・不成功を判定し、それらの結果を考慮して、判断の信頼性を向上させることができる。
【００２８】
例えば、伝送レート２５Ｇｂａｕｄ、出力１ｍＷの試験信号で通信が成功と判定された場合は、差動信号用ケーブル１の特性に問題はないと判断することができる。これに対し、伝送レート２５Ｇｂａｕｄ、出力１ｍＷの試験信号で通信が不成功と判定された場合、伝送レート２５Ｇｂａｕｄ、出力３ｍＷの試験信号で通信が成功と判定されれば、差動信号用ケーブル１の特性にやや問題があるものの、イコライザのパラメータ設定等を変更することで、通信が成功する可能性があると判断することができる。一方、伝送レートがＤＣの試験信号で通信が不成功と判断された場合は、差動信号用ケーブル１に破断等の致命的な問題があると判断することができる。
【００２９】
（第１の実施の形態の作用及び効果）
以上説明した第１の実施の形態によれば、以下のような作用及び効果が得られる。
【００３０】
（１）１０Ｇｂａｕｄ以上の高速差動信号の伝送に用いる差動信号用ケーブル１の伝送特性を、安価で可搬性のある特性判定装置１００を用いて、使用状態と同じ環境で、簡易に評価することができる。従って、１０Ｇｂａｕｄ以上の高速差動信号の伝送で通信障害が発生した場合に、その原因が差動信号用ケーブル１の故障であるか、それ以外のものであるかを、容易に判断することができる。
【００３１】
（２）ＩＣ素子等からなり、信号の振幅減衰やタイミングのずれ等を補正する信号補正回路を有するアクティブケーブル（ＡＣＣ）にも、そのような回路を有しないダイレクトアタッチケーブル（ＤＡＣ）にも対応することができる。
【００３２】
（３）差動信号用ケーブル１の両端に接続する一組のコネクタ１３，２３は、取り外して交換が可能であるので、多数回使用して摩耗した時に交換することで、コネクタ１３，２３の摩耗に影響されずに判定を行うことができる。
【００３３】
（４）コネクタ１３、切替スイッチ１４，１５、及び信号送信回路１２を収容する送信側筐体１０と、コネクタ２３、及び信号受信回路２２を収容する送信側筐体２０と、送信側筐体１０と受信側筐体２０とをつないで、信号送信回路１２から信号受信回路２２へ、試験信号の送信条件のパラメータを示す信号を伝送する通信線１８とを備えるので、１０Ｇｂａｕｄ以上の高速差動信号の伝送で通信障害が発生したとき、差動信号用ケーブル１を、両端の接続機器から取り外したままの使用状態に近い状態で、評価を行うことができる。
【００３４】
（５）電源装置１１が、送信側筐体１０に収容され、電源装置１１を収容した送信側筐体１０から受信側筐体２０へ、電源装置１１からの電力を供給する電力線１７を備えるので、装置全体の可搬性が向上すると共に、電源装置１１が一つで済む。
【００３５】
（６）異なる伝送レート又は出力の複数の試験信号について、差動信号用ケーブル１による試験信号の通信の成功・不成功を判定することにより、通信障害の原因が差動信号用ケーブル１の故障にあるか否かの判断を、信頼性高く行うことができる。
【００３６】
［第２の実施の形態］
図３は、本発明の第２の実施の形態に係る、差動信号用ケーブルの特性判定装置の構成を示す図である。本実施の形態の特性判定装置１１０は、電源装置１１を、受信側筐体２０内に収容したものである。その他の構成は、図１に示した第１の実施の形態と同様である。
【００３７】
電力線１７は、電源装置１１を収容した受信側筐体２０から送信側筐体１０へ、電源装置１１からの電力を供給する。
【００３８】
（第２の実施の形態の作用及び効果）
以上説明した第２の実施の形態によれば、第１の実施の形態について説明した（１）〜（４）、及び（６）の作用及び効果と同様の作用及び効果が得られる。
【００３９】
さらに、電源装置１１が、受信側筐体２０に収容され、電源装置１１を収容した受信側筐体２０から送信側筐体１０へ、電源装置１１からの電力を供給する電力線１７を備えるので、装置全体の可搬性が向上すると共に、電源装置１１が一つで済む。
【００４０】
［第３の実施の形態］
図４は、本発明の第３の実施の形態に係る、差動信号用ケーブルの特性判定装置の構成を示す図である。本実施の形態の特性判定装置１２０は、電源装置１１、信号送信回路１２、一組のコネクタ１３，２３、切替スイッチ１４，１５、信号受信回路２２、及び表示装置２６を、共通の筐体３０に収容したものである。
【００４１】
差動信号用ケーブル１を用いた１０Ｇｂａｕｄ以上の高速差動信号の伝送で通信障害が発生したとき、その原因が差動信号用ケーブル１の故障にあるか否かを判断するため、特性判定装置１２０の使用者は、差動信号用ケーブル１をその両側の接続機器から取り外した後、差動信号用ケーブル１を両端が特性判定装置１２０に向くように曲げて、差動信号用ケーブル１の両端をコネクタ１３，２３に接続する。
【００４２】
筐体３０内において、電源装置１１からの電力は、信号送信回路１２、信号受信回路２２、及び表示装置２６へ供給される。信号送信回路１２は、切替スッチ１４，１５の切り替え状態に応じて、伝送レート又は出力が異なる、予め決められた数の複数の試験信号の内の一つを発生し、発生した試験信号を、コネクタ３４から差動信号用ケーブル１へ送信する。信号受信回路２２は、差動信号用ケーブル１により伝送された試験信号を、コネクタ２３から受信し、受信した試験信号と、予め用意した複数の試験信号のデータとから、差動信号用ケーブル１による試験信号の通信の成功・不成功を判定する。
【００４３】
このとき、信号送信回路１２は、送信する試験信号の送信条件のパラメータを示す信号を、筐体３０内で信号受信回路２２へ直接送信する。信号受信回路２２は、信号送信回路１２から受信した信号から、予め用意した複数の試験信号のデータの内の一つを選択して、受信した試験信号と一致しているか否かを判断する。
【００４４】
（第３の実施の形態の作用及び効果）
以上説明した第３の実施の形態によれば、第１の実施の形態について説明した（１）〜（３）、及び（６）の作用及び効果と同様の作用及び効果が得られる。
【００４５】
さらに、第１及び第２の実施の形態の電力線１７及び信号線１８が必要なく、装置をより安価に構成することができる。
【００４６】
また、電源装置１１が、共通の筐体３０に収容されているので、装置全体の可搬性が向上する共に、電源装置１１が一つで済む。
【００４７】
［第４の実施の形態］
図５は、本発明の第４の実施の形態に係る、差動信号用ケーブルの特性判定装置の構成を示す図である。本実施の形態の特性判定装置１３０は、形状の異なる複数組のコネクタ１３ａ，２３ａ及びコネクタ１３ｂ，２３ｂと、各組のコネクタに対応した、複数の信号送信回路１２ａ，１２ｂ、及び複数の信号受信回路２２ａ，２２ｂと、複数の信号送信回路１２ａ，１２ｂ、及び複数の信号受信回路２２ａ，２２ｂを切り替える切替装置４０，４２とを備えたものである。
【００４８】
差動信号用ケーブル１ａと差動信号用ケーブル１ｂとは、両端のコネクタの形状が異なる。特性判定装置１３０は、差動信号用ケーブル１ａの両端のコネクタの形状に対応した形状の一組のコネクタ１３ａ，２３ａと、差動信号用ケーブル１ｂの両端のコネクタの形状に対応した形状の一組のコネクタ１３ｂ，２３ｂとを備える。なお、本実施の形態では、コネクタ１３ａ，２３ａとコネクタ１３ｂ，２３ｂの二組の形状の異なるコネクタが設けられているが、さらに形状の異なるコネクタの組を設けてもよい。
【００４９】
送信側筐体１０内には、コネクタ１３ａに対応して、信号送信回路１２ａが設けられ、コネクタ１３ｂに対応して、信号送信回路１２ｂが設けられている。また、受信側筐体２０内には、コネクタ２３ａに対応して、信号受信回路２２ａが設けられ、コネクタ２３ｂに対応して、信号受信回路２２ｂが設けられている。
【００５０】
送信側筐体１０内の切替スイッチ４１は、特性判定装置１３０の使用者が人手で操作するスイッチである。切替装置４０は、切替スッチ４１の切り替え状態に応じて、信号送信回路１２ａと信号送信回路１２ｂとを切り替える。切替装置４０は、切り替え結果の情報を示す信号を、通信線１８を介して、受信側筐体２０へ送信する。受信側筐体２０内の切替装置４２は、この信号に従って、信号受信回路２２ａと信号受信回路２２ｂとを切り替える。
【００５１】
（第４の実施の形態の作用及び効果）
以上説明した第４の実施の形態によれば、第１の実施の形態について説明した（１）〜（６）の作用及び効果と同様の作用及び効果が得られる。
【００５２】
さらに、形状の異なる複数組のコネクタ１３ａ，２３及びコネクタ１３ｂ，２３ｂと、各組のコネクタに対応した、複数の信号送信回路１２ａ，１２ｂ、及び複数の信号受信回路２２ａ，２２ｂと、複数の信号送信回路１２ａ，１２ｂ、及び複数の信号受信回路２２ａ，２２ｂを切り替える切替装置４０，４２とを備えるので、形状の異なるコネクタを有する複数の差動信号用ケーブル１ａ，１ｂに対応することができる。
【００５３】
（実施の形態のまとめ）
次に、以上説明した実施の形態から把握される技術思想について、実施の形態における符号等を援用して記載する。ただし、以下の記載における各符号は、特許請求の範囲における構成要素を実施の形態に具体的に示した部材等に限定するものではない。
【００５４】
［１］伝送レートが１０Ｇｂａｕｄ以上の高速差動信号の伝送に用いる差動信号用ケーブル（１）の特性判定装置であって、差動信号用ケーブル（１）の両端に接続する一組のコネクタ（１３，２３）と、差動信号用ケーブル（１）へ供給する試験信号の伝送レート又は出力を切り替える切替スイッチ（１４，１５）と、切替スッチ（１４，１５）の切り替え状態に応じて、伝送レート又は出力が異なる、予め決められた数の複数の試験信号の内の一つを発生し、発生した試験信号を、一組のコネクタ（１３，２３）の一方から差動信号用ケーブル（１）へ送信する信号送信回路（１２）と、差動信号用ケーブル（１）により伝送された試験信号を、一組のコネクタ（１３，２３）の他方から受信し、受信した試験信号と、予め用意した複数の試験信号のデータとから、差動信号用ケーブル（１）による試験信号の通信の成功・不成功を判定する信号受信回路（２２）と、信号受信回路（２２）の判定結果を表示する表示装置（２６）と、信号送信回路（１２）、信号受信回路（２２）、及び表示装置（２６）へ電力を供給する電源装置（１１）と、を備えた、差動信号用ケーブルの特性判定装置。
【００５５】
［２］一組のコネクタ（１３，２３）は、取り外して交換が可能である、差動信号用ケーブルの特性判定装置。
【００５６】
［３］一組のコネクタ（１３，２３）の一方、切替スイッチ（１４，１５）、及び信号送信回路（１２）を収容する送信側筐体（１０）と、一組のコネクタ（１３，２３）の他方、及び信号受信回路（２２）を収容する送信側筐体（２０）と、送信側筐体（１０）と受信側筐体（２０）とをつなぐ通信線（１８）と、を備え、信号送信回路（１２）は、送信する試験信号の送信条件のパラメータを示す信号を、通信線（１８）を介して、信号受信回路（２２）へ送信し、信号受信回路（２２）は、通信線（１８）を介して受信した信号から、予め用意した複数の試験信号のデータの内の一つを選択して、受信した試験信号と一致しているか否かを判断する、差動信号用ケーブルの特性判定装置。
【００５７】
［４］電源装置（１１）は、送信側筐体（１０）又は受信側筐体（２０のいずれかに収容され、電源装置（１１）を収容した送信側筐体（１０）から受信側筐体（２０）へ、または、電源装置（１１）を収容した受信側筐体（２０）から送信側筐体（１０）へ、電源装置（１１）からの電力を供給する電力線（１７）を備えた、差動信号用ケーブルの特性判定装置。
【００５８】
［５］一組のコネクタ（１３，２３）、切替スイッチ（１４，１５）、信号送信回路（１２）、信号受信回路（２２）、表示装置（２６）、及び電源装置（１１）を収容する共通の筐体（３０）を備え、信号送信回路（１２）は、送信する試験信号の送信条件のパラメータを示す信号を、筐体（３０）内で信号受信回路（２２）へ直接送信し、信号受信回路（２２）は、信号送信回路（１２）から受信した信号から、予め用意した複数の試験信号のデータの内の一つを選択して、受信した試験信号と一致しているか否かを判断する、差動信号用ケーブルの特性判定装置。
【００５９】
［６］形状の異なる複数組のコネクタ（１３ａ，２３ａ）及びコネクタ（１３ｂ，２３ｂ）と、各組のコネクタに対応した、複数の信号送信回路（１２ａ，１２ｂ）、及び複数の信号受信回路（２２ａ，２２ｂ）と、複数の信号送信回路（１２ａ，１２ｂ）、及び複数の信号受信回路（２２ａ，２２ｂ）を切り替える切替装置（４０，４２）と、を備えた、差動信号用ケーブルの特性判定装置。
【００６０】
［７］差動信号用ケーブルの特性判定装置（１００／１１０／１２０／１３０）を用い、異なる伝送レート又は出力の複数の試験信号について、差動信号用ケーブル（１）による試験信号の通信の成功・不成功を判定する、差動信号用ケーブルの特性判定方法。
【００６１】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６２】
本発明は、その趣旨を逸脱しない範囲で適宜変形して実施することが可能である。例えば、表示装置１６及び表示装置２６の表示は、以上説明した実施の形態に限らず、複数のランプの点灯及び消灯による表示、あるいは、液晶による文字や記号の表示等であってもよい。
【符号の説明】
【００６３】
１，１ａ，１ｂ…差動信号用ケーブル
１００，１１０，１２０，１３０…特性判定装置
１０…送信側筐体
１１…電源装置
１２，１２ａ，１２ｂ…信号送信回路
１３，１３ａ，１３ｂ…コネクタ
１４，１４ａ，１４ｂ，１５，１５ａ，１５ｂ，４１…切替スイッチ
１６，２６…表示装置
１７…電力線
１８…通信線
２０…受信側筐体
２２，２２ａ，２２ｂ…信号受信回路
２３，２３ａ，２３ｂ…コネクタ
３０…筐体
４０，４２…切替装置
２２１…イコライザ回路２２１
２２２…クロック・データ・リカバリー（ＣＤＲ）回路
２２３…判定回路
【図１】
0006557980.tif 000002
【図２】
0006557980.tif 000003
【図３】
0006557980.tif 000004
【図４】
0006557980.tif 000005
【図５】
0006557980.tif 000006
【図６】
0006557980.tif 000007